(57)【要約】【課題】スネアワイヤがドラムヘッドに接触するときの接触音を抑えることのできるストレイナー装置及びスネアドラムを提供することにある。【解決手段】ストレイナー装置１０は、ストレイナー本体１４、カムフォロアが固定されるスライダ１６、スネアワイヤ４が固定されるホルダ１７、操作レバー１３、及び操作レバー１３の操作により回動するカムを備えている。操作レバー１３を操作してカムを回動させ、カムフォロアをカム面に沿って移動させることにより、スライダ１６がストレイナー本体１４に対しスライド移動する。スライダ１６の移動距離は、操作レバー１３の操作角度に対して線形に変化する。【選択図】図１
2010230849.tif 000002
【特許請求の範囲】
【請求項１】
スネアワイヤの位置をドラムヘッドから離間したオフ位置と前記ドラムヘッドと接するオン位置とに切り替えるスネアドラムのストレイナー装置であって、
前記スネアドラムのシェルに取着されるストレイナー本体と、
前記ストレイナー本体に対しスライド移動可能に支持され、カムフォロアが固定されるスライダと、
前記スライダに設けられ、前記スネアワイヤが固定されるホルダと、
前記スネアワイヤの位置を切り替えるときに操作される操作レバーと、
前記ストレイナー本体に回動可能に支持され、前記カムフォロアと接するカム面を有すると共に、前記操作レバーの操作により回動するカムとを備え、
前記操作レバーを操作して前記カムを回動させ、前記カムフォロアを前記カム面に沿って移動させることにより、前記スライダが前記ストレイナー本体に対しスライド移動するストレイナー装置において、
前記スライダの移動距離は、前記操作レバーの操作角度に対して線形に変化することを特徴とするストレイナー装置。
【請求項２】
請求項１記載のストレイナー装置において、
前記カム面は、前記カムの回動中心を中心とした螺旋に沿って延びていることを特徴とするストレイナー装置。
【請求項３】
請求項１又は２記載のストレイナー装置において、
前記カム面は、前記スネアワイヤの位置がオフ位置に配置されたとき前記スライダに接する始端と、前記スネアワイヤの位置がオン位置に配置されたとき前記スライダに接する終端とを備え、前記カム面の終端付近は、前記カムの回動中心を中心とした円弧に沿って延びていることを特徴とするストレイナー装置。
【請求項４】
請求項１〜３のいずれか一項に記載のストレイナー装置は、更に、
前記スネアワイヤがオン位置に配置されたとき前記操作レバーの位置を保持するためのロック機構を備えていることを特徴とするストレイナー装置。
【請求項５】
請求項４記載のストレイナー装置は、更に、
前記ストレイナー本体を前記シェルに固定するためのベースプレートを備え、
前記ロック機構は、前記カムに設けられたロックピンと、前記ベースプレートに設けられ、前記ロックピンが係合される凹部と、前記ロックピンと前記カムとの間に設けられた付勢手段とから構成されていることを特徴とするストレイナー装置。
【請求項６】
請求項１〜５のうちいずれか一項に記載のストレイナー装置において、
前記ストレイナー本体と前記スライダとの間に設けられ、前記スネアワイヤが前記ドラムヘッドから離間するように前記スライダを付勢する付勢手段を備えていることを特徴とするストレイナー装置。
【請求項７】
請求項１〜６のいずれか一項に記載のストレイナー装置は、更に、
前記オン位置に配置されたスネアワイヤの上下方向の位置を調整するための操作ノブを含む位置調整機構と、前記スネアワイヤの上下方向の位置を保持するための保持機構とを備え、前記保持機構は、前記操作ノブ及び前記スライダの一方に設けられた係合部と、前記操作ノブ及び前記スライダの他方に設けられ、前記係合部と係合する被係合部とから構成され、前記係合部及び前記被係合部の少なくとも一方が弾性材料からなることを特徴とするストレイナー装置。
【請求項８】
請求項１〜７のうちいずれか一項に記載のストレイナー装置は、更に、
前記ホルダは、クランプホルダと、前記クランプホルダとの間に前記スネアワイヤを挟持するクランプカバーを含み、前記クランプホルダは、前記クランプカバーに向けて突出すると共にねじ孔を有する一対のガイドを有し、前記クランプカバーは、前記両ガイドが挿入される一対のガイド孔を有し、前記各ガイド孔に挿入されたボルトを対応するガイドのねじ孔に締め付けることにより、前記クランプホルダに前記クランプカバーが固定されることを特徴とするストレイナー装置。
【請求項９】
円筒状のシェルと、前記シェルの上下の開口端にそれぞれ装着された一対のドラムヘッドと、下方のドラムヘッドの表面に沿って張設されるスネアワイヤと、前記シェルの外周面に取り付けられ、前記スネアワイヤの位置を前記ドラムヘッドから離間したオフ位置と前記ドラムヘッドと接するオン位置とに切り替えるストレイナー装置とを備えたスネアドラムであって、
前記ストレイナー装置は、
前記スネアドラムのシェルに取着されるストレイナー本体と、
前記ストレイナー本体に対しスライド移動可能に支持され、カムフォロアが固定されるスライダと、
前記スライダに設けられ、前記スネアワイヤが固定されるホルダと、
前記スネアワイヤの位置を切り替えるときに操作される操作レバーと、
前記ストレイナー本体に回動可能に支持され、前記カムフォロアと接するカム面を有すると共に、前記操作レバーの操作により回動するカムとを備え、
前記操作レバーを操作して前記カムを回動させ、前記カムフォロアを前記カム面に沿って移動させることにより、前記スライダが前記ストレイナー本体に対しスライド移動するスネアドラムにおいて、
前記スライダの移動距離は、前記操作レバーの操作角度に対して線形に変化することを特徴とするスネアドラム。
【発明の詳細な説明】
【技術分野】
【０００１】
本発明は、スネアワイヤをドラムヘッドに接離させるために操作されるストレイナー装置及びスネアドラムに関する。
【背景技術】
【０００２】
スネアドラムは、円筒状のシェルと、シェルの上下の開口端にそれぞれ装着された一対のドラムヘッドと、下方のドラムヘッドの表面に沿って張設されるスネアワイヤと、シェルの外周面に取り付けられたストレイナー装置とを備えている。ストレイナー装置は、スネアワイヤをドラムヘッドの表面から離間したオフ位置とドラムヘッドの表面に接するオン位置とに切り替えるためのパーツとして用いられる。
【０００３】
一般に、ストレイナー装置１００は、図１０（ａ），（ｂ）に示すように、スライド溝１０２ａを有するストレイナー本体１０２と、ストレイナー本体１０２に対しスライド移動可能に支持されたスライダ１０３と、ストレイナー本体１０２に対し回動可能に支持されたカム１０４とを備えている。スライダ１０３は、カムフォロア１０５と、スネアワイヤ１０６のベルト１０７が固定されるホルダ１０８とを備えている。カム１０４には、円弧に沿って延びるカム溝１０４ａが形成されている。また、カム１０４には、操作レバー１０４ｂが一体形成されている。スライダ１０３は、カムフォロア１０５をスライド溝１０２ａとカム溝１０４ａとに挿通させた状態で、ストレイナー本体１０２とカム１０４とにそれぞれ組み付けられている。
【０００４】
ストレイナー装置１００によれば、操作レバー１０４ｂを引き上げてカム１０４を図１０（ａ）に示す反時計回り（図１０（ｂ）に示す時計回り）に回動させると、カムフォロア１０５がカム溝１０４ａ内を移動しながらスライド溝１０２ａ内を上方に移動する。これにより、カム１０４の回動運動がカムフォロア１０５の直線運動に変換されて、スライダ１０３は、カムフォロア１０５と共に上方へとスライド移動する。カムフォロア１０５がカム溝１０４ａの終端に当接するまで操作レバー１０４ｂを引き上げると、スネアワイヤ１０６の位置はオン位置に切り替えられる。一方、オン位置に配置されたスネアワイヤ１０６の位置をオフ位置に切り替えるには、オン位置に切り替えるときと逆の操作、即ち、操作レバー１０４ｂを引き下げてカム１０４を図１０（ａ）に示す時計回り（図１０（ｂ）に示す反時計回り）に回動させればよい。
【０００５】
しかしながら、従来のストレイナー装置１００によれば、オフ位置からオン位置に切り替えるときのスネアワイヤ１０６の移動速度、言い換えれば、操作レバー１０４ｂの操作角度とスネアワイヤ１０６の移動距離との関係について考慮されていない。多くの場合、図１１に示すように、スネアワイヤ１０６をオフ位置から引き上げ始めた直後は、操作レバー１０４ｂの操作角度に対するスネアワイヤ１０６の移動距離は比較的大きく、スネアワイヤ１０６がオン位置に到達する直前では、操作レバー１０４ｂの操作角度に対するスネアワイヤ１０６の移動距離は比較的小さくなっている。
【０００６】
これに加え、スネアドラムを演奏する演奏者によって、オン位置に切り替えられた直後のスネアワイヤ１０６の上下方向の位置は同じではない。これらの理由から、オン位置に切り替えられた直後のスネアワイヤ１０６の位置によっては、オン位置へ切り替えたときに、スネアワイヤ１０６がドラムヘッドに勢いよく接触し、それにより、比較的大きな接触音が生じることがある。このため、例えば、オーケストラによる演奏中にスネアワイヤ１０６のオン又はオフ操作を頻繁に行う場合、その都度、スネアワイヤ１０６による接触音が生じて、曲の雰囲気が損なわれてしまう虞がある。
【０００７】
スネアワイヤ１０６による接触音を小さくするため、操作レバー１０４ｂをゆっくりと操作して、スネアワイヤ１０６をドラムヘッドに勢いよく接触させないようにすることも考えられる。しかしながら、図１１に示すように、従来のストレイナー装置１００によれば、オフ位置からオン位置に到達する直前まではスネアワイヤ１０６の移動速度が比較的速いため、操作レバー１０４ｂをゆっくりと引き上げたとしても、スネアワイヤ１０６をドラムヘッドに軽く接触させることは非常に困難である。よって、スネアワイヤ１０６による接触音を回避することはできない。
【０００８】
上記構成のものとは異なるストレイナー装置として、特許文献１には、オン又はオフ操作時に水平方向に操作される操作レバーを備えたストレイナー装置が開示されている。しかしながら、同文献に開示のストレイナー装置の場合、図１０（ａ），（ｂ）に示すストレイナー装置１００と比較して、オン又はオフ操作のとき、操作レバーをより大きく動かす必要がある。また、操作レバーを上方又は下方に操作する一般的なストレイナー装置とは異なり、操作レバーの操作方向が水平方向であることから、演奏者によっては操作し難いといった問題もある。更には、オン又はオフ操作時におけるスネアワイヤの移動速度についても考慮されていない。
【先行技術文献】
【特許文献】
【０００９】
【特許文献１】米国特許第６８４６９７８号明細書
【発明の概要】
【発明が解決しようとする課題】
【００１０】
本発明の目的は、スネアワイヤがドラムヘッドに接触するときの接触音を極力抑えることのできるストレイナー装置及びスネアドラム提供することにある。
【課題を解決するための手段】
【００１１】
上記の目的を達成するために、請求項１に記載の発明は、スネアワイヤの位置をドラムヘッドから離間したオフ位置とドラムヘッドと接するオン位置とに切り替えるスネアドラムのストレイナー装置であって、スネアドラムのシェルに取着されるストレイナー本体と、ストレイナー本体に対しスライド移動可能に支持され、カムフォロアが固定されるスライダと、スライダに設けられ、スネアワイヤが固定されるホルダと、スネアワイヤの位置を切り替えるときに操作される操作レバーと、ストレイナー本体に回動可能に支持され、カムフォロアと接するカム面を有すると共に、操作レバーの操作により回動するカムとを備え、操作レバーを操作してカムを回動させ、カムフォロアをカム面に沿って移動させることにより、スライダがストレイナー本体に対しスライド移動するストレイナー装置において、スライダの移動距離は、操作レバーの操作角度に対して線形に変化することを要旨とする。
【００１２】
この構成によれば、スネアワイヤをオフ位置からオン位置に切り替えるまでの間、スライダは、操作レバーの操作角度に対して等速直線運動する。これにより、スライダと共にスライド移動するスネアワイヤを、ドラムヘッドに勢いよく接触させないようにすることができる。よって、スネアワイヤがドラムヘッドに接触するときの接触音を抑えることができる。
【００１３】
請求項２に記載の発明は、請求項１記載の発明において、カム面は、カムの回動中心を中心とした螺旋に沿って延びていることを要旨とする。
この構成によれば、カムは、カムの回動中心を中心とする螺旋に沿って延びるカム面を有している。このように、螺旋に沿って延びるカム面上をカムフォロアが滑ることにより、カムフォロアは等速直線運動する。これにより、カムフォロアが固定されたスライダも、操作レバーの操作角度に対して等速直線運動する。
【００１４】
請求項３に記載の発明は、請求項１又は２記載の発明において、カム面は、スネアワイヤの位置がオフ位置に配置されたときスライダに接する始端と、スネアワイヤの位置がオン位置に配置されたときスライダに接する終端とを備え、カム面の終端付近は、カムの回動中心を中心とした円弧に沿って延びていることを要旨とする。
【００１５】
一般的なストレイナー装置によれば、オン位置に配置される直前でスネアワイヤがドラムヘッドに最も接近し、オン位置でスネアワイヤがドラムヘッドから少し離れてしまう。このため、スネアワイヤがドラムヘッドに勢いよく接触し易く、ドラムヘッドに接触するときの接触音も大きくなり易い。その点、本発明によれば、円弧に沿って延びるカム面の終端付近をカムフォロアが滑ることにより、カムフォロアは移動しなくなり、カムフォロアが固定されたスライダも移動しなくなる。つまり、スネアワイヤの張力によって操作レバーが戻ることもない。よって、必要以上に、スネアワイヤをドラムヘッドに接近させることもない。従って、スネアワイヤがドラムヘッドに勢いよく接触し難くなり、ドラムヘッドに接触するときの接触音をより小さくすることができる。
【００１６】
請求項４に記載の発明は、請求項１〜３のいずれか一項に記載の発明において、スネアワイヤがオン位置に配置されたとき操作レバーの位置を保持するためのロック機構を備えていることを要旨とする。
【００１７】
この構成によれば、ロック機構により操作レバーの位置が保持されることによって、スネアワイヤをオン位置に確実に保持することができる。このため、演奏中に、誤操作や振動等により、操作レバーが誤ってオン位置からオフ位置に切り替えられることを防止することができる。
【００１８】
請求項５に記載の発明は、請求項４記載の発明において、ストレイナー本体をシェルに固定するためのベースプレートを備え、ロック機構は、カムに設けられたロックピンと、ベースプレートに設けられ、ロックピンが係合される凹部と、ロックピンとカムとの間に設けられた付勢手段とから構成されていることを要旨とする。
【００１９】
この構成によれば、ロックピンがベースプレートの凹部に係合することにより、操作レバーの位置が保持される。このとき、ロックピンは、カムとの間に配置された圧縮コイルばねによって付勢されている。これにより、ロックピンが凹部に嵌め込まれたときに生じる節度感触、即ち、クリック感を高めることができる。よって、演奏者は、操作レバーを通じてクリック感を感じることにより、スネアワイヤがオン位置に配置されたことを認識することができる。
【００２０】
請求項６に記載の発明は、請求項１〜５のうちいずれか一項に記載の発明において、ストレイナー本体とスライダとの間に設けられ、スネアワイヤがドラムヘッドから離間するようにスライダを付勢する付勢手段を備えていることを要旨とする。
【００２１】
この構成によれば、付勢手段の付勢力によって、スネアワイヤがドラムヘッドから離間するようにスライダを保持することができる。これにより、スネアワイヤが張設される下方のドラムヘッドを上向きしても、スネアワイヤをオフ位置に保持することができるため、ストレイナー装置へのスネアワイヤの取り付け作業を容易に行える。また、この場合、付勢手段の付勢力によってスネアワイヤがオフ位置に切り替えられるため、その分、カムの形状を単純化することができ、ひいては、ストレイナー装置の小型化を実現することもできる。
【００２２】
請求項７に記載の発明は、請求項１〜６のうちいずれか一項に記載の発明において、オン位置に配置されたスネアワイヤの上下方向の位置を調整するための操作ノブを含む位置調整機構と、スネアワイヤの上下方向の位置を保持するための保持機構とを備え、保持機構は、操作ノブ及びスライダの一方に設けられた係合部と、操作ノブ及びスライダの他方に設けられ、係合部と係合する被係合部とから構成され、係合部及び被係合部の少なくとも一方が弾性材料からなることを要旨とする。
【００２３】
この構成によれば、スネアワイヤの位置をオン位置に切り替えた後、操作ノブの操作に基づき、スネアワイヤの上下方向の位置を微調整することができる。つまり、ドラムヘッドに対するスネアワイヤの接触圧を調整することができ、スネアワイヤによる響き音を調整することができる。また、保持機構によって、スネアワイヤの上下方向の位置が保持されるため、演奏中に、ドラムヘッドに対するスネアワイヤの接触圧の低下を防止することができる。よって、スネアワイヤによる響き音を良好に保つこともできる。この場合、係合部及び被係合部が互いに係合することにより、操作ノブの操作に基づくスライダボルトの軸線回りの回動が規制される。これにより、ホルダに対するスライダボルトの螺合量が保持されるため、スネアワイヤの上下方向の位置を保持することができる。更に、係合部及び被係合部の少なくとも一方が弾性を有しているため、係合部が被係合部に係合したときに生じる節度感触、即ち、クリック感を高めることもできる。よって、演奏者は、操作ノブを通じてクリック感を感じることにより、スネアワイヤの上下方向の位置が調整される量を認識することもできる。
【００２４】
請求項８に記載の発明は、請求項１〜７のいずれか一項に記載の発明において、ホルダは、クランプホルダと、クランプホルダとの間にスネアワイヤを挟持するクランプカバーを含み、クランプホルダは、クランプカバーに向けて突出すると共にねじ孔を有する一対のガイドを有し、クランプカバーは、両ガイドが挿入される一対のガイド孔を有し、各ガイド孔に挿入されたボルトを対応するガイドのねじ孔に締め付けることにより、クランプホルダにクランプカバーが固定されることを要旨とする。
【００２５】
この構成によれば、ホルダにクランプカバーを組み付ける際、クランプカバーのガイド孔に挿入されたボルトがホルダのガイドによって隠蔽されるため、ボルトにスネアワイヤの紐やテープが巻き込まれることを防止することができる。
【００２６】
請求項９に記載の発明は、円筒状のシェルと、シェルの上下の開口端にそれぞれ装着された一対のドラムヘッドと、下方のドラムヘッドの表面に沿って張設されるスネアワイヤと、シェルの外周面に取り付けられ、スネアワイヤの位置をドラムヘッドから離間したオフ位置とドラムヘッドと接するオン位置とに切り替えるストレイナー装置とを備えたスネアドラムであって、ストレイナー装置は、スネアドラムのシェルに取着されるストレイナー本体と、ストレイナー本体に対しスライド移動可能に支持され、カムフォロアが固定されるスライダと、スライダに設けられ、スネアワイヤが固定されるホルダと、スネアワイヤの位置を切り替えるときに操作される操作レバーと、ストレイナー本体に回動可能に支持され、カムフォロアと接するカム面を有すると共に、操作レバーの操作により回動するカムとを備え、操作レバーを操作してカムを回動させ、カムフォロアをカム面に沿って移動させることにより、スライダがストレイナー本体に対しスライド移動するスネアドラムにおいて、スライダの移動距離は、操作レバーの操作角度に対して線形に変化することを要旨とする。
【００２７】
この構成によれば、請求項１と同等の作用効果を発揮することのできるスネアドラムを提供することができる。
【発明の効果】
【００２８】
本発明によれば、スネアワイヤがドラムヘッドに接触するときの接触音を抑えることのできるストレイナー装置及びスネアドラムを提供することができる。
【図面の簡単な説明】
【００２９】
【図１】本発明の一実施形態に係るストレイナー装置が取り付けられたスネアドラムを下方から見た斜視図。
【図２】ストレイナー装置の斜視図。
【図３】ストレイナー装置の分解斜視図。
【図４】（ａ）はスネアワイヤがオフ位置に配置されているときのストレイナー装置の内部構造を示す平面図、（ｂ）はスネアワイヤがオン位置に配置されているときのストレイナー装置の内部構造を示す平面図。
【図５】図２の５−５線に沿った断面図。
【図６】スネアワイヤがオン位置に配置されているときのストレイナー装置の内部構造を示す横断面図。
【図７】ホルダの分解斜視図。
【図８】保持機構の分解斜視図。
【図９】操作レバーの操作角度とスネアワイヤの移動距離との関係について本実施形態のストレイナー装置と従来のストレイナー装置とを比較したグラフ。
【図１０】（ａ）従来のストレイナー装置を表側から見た斜視図、（ｂ）従来のストレイナー装置を裏側から見た斜視図。
【図１１】操作レバー操作角度とスネアワイヤの移動距離との関係を示すグラフ。
【発明を実施するための形態】
【００３０】
以下、本発明に係るストレイナー装置を具体化した一実施形態について図１〜図９を参照して説明する。
図１に示すように、スネアドラム１は、円筒状のシェル２、一対のドラムヘッド３、スネアワイヤ４、及びストレイナー装置１０を備えている。ドラムヘッド３は、シェル２の上下の開口端にそれぞれ装着されている。スネアワイヤ４は、下方のドラムヘッド３の表面に沿って張設されている。ストレイナー装置１０は、シェル２の外周面に取り付けられている。シェル２の外周面において、ストレイナー装置１０と反対側の位置にはバット（図示せず）が取り付けられている。スネアワイヤ４は、バット及びストレイナー装置１０を介して、ドラムヘッド３の表面に対し接離可能に、かつスネアワイヤ４の張力（テンション）を調整可能に支持されている。
【００３１】
図２及び図３に示すように、ストレイナー装置１０は、ベースプレート１１、カム１２、操作レバー１３、ストレイナー本体１４、操作ノブ１５、スライダ１６、及びホルダ１７等を備えている。ベースプレート１１の上端と下端とには、ブラケット１１ａがそれぞれ設けられている。各ブラケット１１ａは、ベースプレート１１の各端部をそれぞれ略Ｌ字状に折り曲げて形成されている。各ブラケット１１ａには、ねじ孔が形成されている。各ブラケット１１ａのねじ孔には、ストレイナー装置１０をシェル２に固定するためのねじが締め付けられる。
【００３２】
図３及び図６に示すように、ベースプレート１１のブラケット１１ａと反対側の面には、樹脂製のスペーサ２０が固定されている。スペーサ２０は、円弧に沿って延びる成形体により形成されている。スペーサ２０は、一方の面を球面状に凹ませた凹部２０ａと、他方の面において凹部２０ａと対応する位置を突出させた突部２０ｂとを備えている。スペーサ２０は、突部２０ｂをベースプレート１１の孔に嵌入した状態で、ベースプレート１１に固定されている。ベースプレート１１は、対向する一対の角部に、ストレイナー本体１４との締結に用いられる貫通孔１１ｂをそれぞれ有している。
【００３３】
ストレイナー本体１４は、ベースプレート１１のブラケット１１ａと反対側の面に組み付けられる。ストレイナー本体１４は、４つの壁により包囲された空間を有するケース部１４ａを備えている。ストレイナー本体１４は、ケース部１４ａ内の空間にカム１２や操作レバー１３等を収納する。また、図４（ａ），（ｂ）に示すように、ケース部１４ａの対向する一対の角部には、ねじ孔を有する固定部１４ｂがそれぞれ設けられている。ケース部１４ａの各固定部１４ｂには、ベースプレート１１をストレイナー本体１４に固定するためのねじが締め付けられる。
【００３４】
ケース部１４ａ内には、カム１２が操作レバー１３と共に、ストレイナー本体１４に組み付けられた状態で収納されている。操作レバー１３は、スネアワイヤ４をドラムヘッド３に対し接離させるとき、即ち、スネアワイヤ４の位置をドラムヘッド３から離間したオフ位置又はドラムヘッド３と接するオン位置に切り替えるときに操作される。操作レバー１３は、ケース部１４ａ内から開口１４ｃを通じて外方に延びている。操作レバー１３の先端には、操作ノブ２１がねじにより取り付けられている。操作レバー１３の基端部には、カム１２との固定に用いられる２つの固定孔１３ａ，１３ｂが設けられている。
【００３５】
カム１２は、操作レバー１３の第１の固定孔１３ａに固定される固定部１２ａと、操作レバー１３の第２の固定孔１３ｂに固定されるカム部１２ｂとを備えている。固定部１２ａは、操作レバー１３の第１の固定孔１３ａと対応する位置に軸孔１２ｃを有している（図３参照）。カム部１２ｂは、操作レバー１３の第２の固定孔１３ｂと対応する位置に円筒状の突出部１２ｄを有している（図６参照）。カム１２は、軸孔１２ｃを操作レバー１３の第１の固定孔１３ａに一致させると共に、突出部１２ｄを操作レバー１３の第２の固定孔１３ｂに嵌入した状態で、操作レバー１３の基端部に固定されている。
【００３６】
カム１２は、操作レバー１３と共に、ボルト２３により、ストレイナー本体１４に対し回動可能に支持されている。なお、操作レバー１３の回動トルクを適切な値にすべく、カム１２とストレイナー本体１４との間にはＯリング２４が介装されている。また、操作レバー１３の基端部とボルト２３の頭部との間にも、ワッシャ２５やＯリング２６等が介装されている（図３参照）。
【００３７】
カム１２は、操作レバー１３の操作角度に対してスネアワイヤ４の移動距離が線形に変化するように設計されている。詳しくは、カム１２は、カム１２の回動中心を中心とした螺旋に沿って延びるカム面１２ｅを有している。より詳しくは、カム面１２ｅは、図４（ａ）に示すように操作レバー１３を引き下げたとき後述するカムフォロア３０に接する始端Ｓと、図４（ｂ）に示すように操作レバー１３を引き上げたときカムフォロア３０に接する終端Ｔとを有している。終端Ｔ付近では、カム面１２ｅの形状が、カム１２の回動中心、即ちボルト２３の軸心を中心とした円弧に沿って延びている。なお、本実施形態において、操作レバー１３の引き上げる操作は、スネアワイヤ４の位置をオン位置に切り替えるためのオン操作であり、操作レバー１３を引き下げる操作は、スネアワイヤ４の位置をオフ位置に切り替えるためのオフ操作である。
【００３８】
図６に示すように、カム１２は、引き上げられた操作レバー１３の位置を保持するためのロック機構を備えている。ロック機構は、突出部１２ｄ内に収納されたロックピン３１と、スペーサ２０の凹部２０ａと、ロックピン３１を凹部２０ａに向けて付勢する圧縮コイルばね３２とから構成されている。ロックピン３１の先端は、凹部２０ａの形状と一致するように球面状に形成されている。凹部２０ａの位置は、スネアワイヤ４がオン位置に切り替えられたタイミングでロックピン３１が凹部２０ａに係合するように設定されている。つまり、ロック機構が機能して、ロックピン３１が凹部２０ａに係合することにより、スネアワイヤ４の位置がオン位置に保持される。
【００３９】
図４（ａ），（ｂ）に示すように、ケース部１４ａ内には、引き上げられた操作レバー１３の更なる回動、詳しくは、図４（ｂ）に示す位置から時計回りへの回動を規制するためのストッパー３５が取り付けられている。ストッパー３５は、ゴム等の弾性材料からなる。ストッパー３５は、図４（ａ），（ｂ）に示す各位置でカム１２及び操作レバー１３を支持するための支持面３５ａを有している。支持面３５ａは、操作レバー１３の基端部及びカム１２の一部と同形状に形成されている。ストッパー３５は、支持面３５ａを操作レバー１３及びカム１２に向けると共に、操作レバー１３と反対側の面をケース部１４ａの内面に密着させるようにして取り付けられている。ケース部１４ａの中央上部には、上下方向に延びるスライド溝１４ｄが形成されている。スライド溝１４ｄの長さは、カム１２の回動により直線移動するカムフォロア３０の移動距離に応じて設定されている。
【００４０】
図３、図５及び図６に示すように、ストレイナー本体１４には、カムフォロア３０と共に直線移動するスライダ１６が支持されている。スライダ１６は、スライダ本体４０、スライダガイド４１、スライダボルト４２、付勢手段としてのスプリング４３を備え、これらを一体に組み付けて構成されている。ストレイナー本体１４には、スライダ本体４０をスライド移動可能に支持するための支持孔１４ｅが設けられている。スライド溝１４ｄは、支持孔１４ｅからケース部１４ａ内の空間に向けて延びている。また、ストレイナー本体１４には、スプリング４３を収納するための収納穴１４ｆが設けられている。収納穴１４ｆは、上下方向に延びる細穴からなり、ケース部１４ａと近接する位置に設けられている。
【００４１】
スライダ本体４０は、略円筒状の第１部４０ａと、スプリング４３を保持する第２部４０ｂとを備えている。カムフォロア３０は、スライダ本体４０の第１部４０ａに固定されている。カムフォロア３０は、カム１２のカム面１２ｅと接する部品であり、円柱状に形成されている。カム１２の回動運動は、カムフォロア３０を介して、スライダ１６の直線運動に変換される。つまり、カム１２の回動により、カムフォロア３０が固定されたスライダ本体４０は、支持孔１４ｅ内を上下方向に直線移動する。スプリング４３は、ストレイナー本体１４の収納穴１４ｆに圧縮された状態で収納されている。圧縮されたスプリング４３は、スライダ本体４０を図５に示す下方に付勢している。ここで、下方とは、スネアワイヤ４をドラムヘッド３から離間する方向を意味する。
【００４２】
スライダ本体４０の第１部４０ａには、両端にねじを有するスライダボルト４２が、スライダガイド４１を介して下方から挿通されている。スライダ本体４０の第１部４０ａの上端には、弾性部材からなるキャップ５０が装着されている。キャップ５０の外周には、ねじ穴を有する操作ノブ１５が装着されている。操作ノブ１５は、スネアワイヤ４の位置をオン位置に切り替えた後、スネアワイヤ４の上下方向の位置を微調整するときに操作される。スライダボルト４２の上端は、キャップ５０の挿通孔を挿通すると共に、操作ノブ１５のねじ穴に螺着されている。スライダボルト４２は、操作ノブ１５と共に軸線回りに回動可能である。
【００４３】
図３及び図８に示すように、スライダ本体４０の第１部４０ａの下端には、ホルダ１７が支持されている。ホルダ１７は、スライダボルト４２に螺合されるクランプホルダ５１と、クランプホルダ５１と共にスネアワイヤ４を固定するクランプカバー５２と、クランプカバー５２をクランプホルダ５１に固定するための一対のボルト５３とから構成されている。クランプホルダ５１の下面には、クランプカバー５２に向けて突出すると共にねじ孔を有する一対のガイド５１ａが設けられている。クランプカバー５２は、両ガイド５１ａが挿入される一対のガイド孔５２ａを有している。各ガイド孔５２ａに挿入されたボルト５３を対応するガイド５１ａのねじ孔にそれぞれ締め付けることにより、クランプカバー５２がクランプホルダ５１に固定されて、クランプカバー５２及びクランプホルダ５１間にスネアワイヤ４が挟持される。また、クランプカバー５２には、３本の細い溝５２ｂが刻印されている。細い溝５２ｂは、ホルダ１７に対するスネアワイヤ４の幅方向の位置を位置決めするための位置決め手段である。溝５２ｂは、クランプカバー５２の中央と、中央の溝５２ｂの両側とにそれぞれ設けられている。
【００４４】
クランプホルダ５１の中央には、ねじ孔を有する支柱５１ｂが設けられている。支柱５１ｂの断面形状は、正六角形を有している。クランプホルダ５１の支柱５１ｂは、スライダボルト４２の下端に螺合されると共に、スライダ本体４０の第１部４０ａ内に下方から挿入されている。スライダ本体４０に対するクランプホルダ５１の回動は、第１部４０ａ内に設けられた規制部４０ｃによって規制されている（図６参照）。本実施形態において、規制部４０ｃは、スライダ本体４０の第１部４０ａ内に設けられた断面六角形状を有する壁面からなる。つまり、クランプホルダ５１は、操作ノブ１５の操作に基づくスライダボルト４２の回動時に、スライダボルト４２と共に回動しないように保持されている。これにより、操作ノブ１５を回すと、スライダボルト４２は回動するものの、クランプホルダ５１は回動しない。このため、クランプホルダ５１に対するスライダボルト４２の螺合量が変更され、スライダ本体４０に対するクランプホルダ５１の上下方向に位置が調整される。このように、ストレイナー装置１０は、操作ノブ１５の操作に基づき、オン位置に配置されたスネアワイヤ４の上下方向の位置を微調整するため位置調整機構を備えている。なお、クランプホルダ５１の支柱５１ｂには、スライダ本体４０に対するクランプホルダ５１の上下方向に位置を示すための目印５１ｃが刻印されている。本実施形態において、クランプホルダ５１は、操作ノブ１５の操作に基づき上限位置と下限位置との間でスライド移動可能に支持されている。目印５１ｃの位置は、上限位置にクランプホルダ５１が配置されているときスライダ本体４０内に隠蔽されると共に、下限位置にクランプホルダ５１が配置されているときスライダ本体４０の下端から所定の距離だけ下方に配置されるように設定されている。
【００４５】
図３及び図７に示すように、ストレイナー装置１０は、クランプホルダ５１に螺合された状態から緩まないようにスライダボルト４２を保持するための保持機構を備えている。保持機構は、操作ノブ１５の内側に形成された係合部としての第１段差部１５ａと、キャップ５０の上面に形成された被係合部としての第２段差部５０ａとから構成されている。操作ノブ１５の第１段差部１５ａがキャップ５０の第２段差部５０ａと係合することにより、操作ノブ１５の回動が規制されるため、操作ノブ１５に螺着されたスライダボルト４２の回動も規制される。
【００４６】
上記のストレイナー装置１０の作用について図４及び図９を参照して説明する。
図９中、曲線Ａは、従来のストレイナー装置における操作レバーの操作角度とスネアワイヤの移動距離との関係を示し、直線Ｂは、本実施形態のストレイナー装置１０における操作レバー１３の操作角度とスネアワイヤ４の移動距離との関係を示す。
【００４７】
上述したように、従来のストレイナー装置の場合、曲線Ａに示すように、スネアワイヤをオフ位置から引き上げ始めた直後は、操作レバーの操作角度に対するスネアワイヤの移動距離は比較的大きく、スネアワイヤがオン位置に到達する直前では、操作レバーの操作角度に対するスネアワイヤの移動距離は比較的小さくなっている。つまり、この場合、オフ位置周辺でのスネアワイヤの移動速度は、オン位置周辺でのスネアワイヤの移動速度よりも大きい。これに対し、本実施形態に係るストレイナー装置１０によれば、操作レバー１３の操作角度に対してスネアワイヤ４の移動距離が線形に変形する。
【００４８】
具体的には、図４（ａ）に示すように、操作レバー１３が引き下げられた状態では、スネアワイヤ４がオフ位置に配置されている。このとき、カムフォロア３０はスライド溝１４ｄの下端に位置し、カム１２のカム面１２ｅの始端Ｓと接触している。操作レバー１３が引き上げられる過程で、カム１２は図４（ａ）に示す時計回りへと回動する。これにより、カムフォロア３０はカム面１２ｅ上を終端Ｔに向けて移動しつつ、スライド溝１４ｄの上端に向けて直線移動する。こうして、スネアワイヤ４がオフ位置からオン位置に切り替えられるまでの間、カムフォロア３０は、カム１２の回動中心を中心とする螺旋に沿って延びるカム面１２ｅ上（以下、第１の滑り領域と称す）を滑る。その結果、カムフォロア３０はスライド溝１４ｄ内を等速直線運動し、スライダ１６も支持孔１４ｅ内を等速直線運動する。よって、図９に示すように、オフ位置からオン位置に切り替えられるまでの期間、スネアワイヤ４は、従来のストレイナー装置よりも遅い速度で等速直線運動する。即ち、オフ位置からオン位置に切り替えられるまでの期間、スネアワイヤ４の移動距離は、操作レバー１３の操作角度等に対して線形に変化する。
【００４９】
図４（ｂ）に示すように、操作レバー１３が引き上げられると、スネアワイヤ４はオン位置に配置される。このとき、カムフォロア３０は、スライド溝１４ｄの上端に位置している。スネアワイヤ４がオン位置に配置されてからも、操作レバー１３の操作により、カム１２は時計回りに少しだけ回動する。このとき、カムフォロア３０は、第１の滑り領域を滑り終えて、カム１２の回動中心を中心とする円弧に沿って延びるカム面１２ｅ上（以下、第２の滑り領域と称す）を滑る。カムフォロア３０は、カム面１２ｅの第２の滑り領域を移動する間、スライド溝１４ｄ内を移動せずに、スライド溝１４ｄの上端にて停止し続ける。このとき、カムフォロア３０が固定されたスライダ１６も移動せずに停止し続ける。つまり、スネアワイヤ４の張力によって操作レバー１３が引き下げられることもなく、カム１２が反時計回りに回動することもない。よって、スネアワイヤ４は、ドラムヘッド３から離れることなくオン位置に保持される。
【００５０】
本実施形態によれば、以下のような効果を得ることができる。
（１）カム１２は、操作レバー１３の操作角度に対してスネアワイヤ４の移動距離が線形に変形するように設計されている。この構成によれば、スネアワイヤ４をオフ位置からオン位置に切り替えるまでの間、スライダ１６は、操作レバー１３の操作角度に対して等速直線運動する。これにより、スライダ１６と共にスライド移動するスネアワイヤ４を、ドラムヘッド３に勢いよく接触させないようにすることができる。よって、スネアワイヤ４がドラムヘッド３に接触するときの接触音を抑えることができる。
（２）カム１２は、カム１２の回動中心を中心とした螺旋に沿って延びるカム面１２ｅを有している。この構成によれば、螺旋に沿って延びるカム面１２ｅ上をカムフォロア３０が滑ることにより、カムフォロア３０は等速直線運動する。これにより、カムフォロア３０が固定されたスライダ１６も、操作レバー１３の操作角度に対して等速直線運動する。
（３）カム面１２ｅは、操作レバー１３を引き下げたときカムフォロア３０に接する始端Ｓと、操作レバー１３を引き下げたときカムフォロア３０に接する終端Ｔとを有している。終端Ｔ付近では、カム面１２ｅの形状が、カム１２の回動中心、即ちボルト２３の軸心を中心とした円弧に沿って延びている。一般的なストレイナー装置によれば、オン位置に配置される直前でスネアワイヤがドラムヘッドに最も接近し、オン位置でスネアワイヤがドラムヘッドから少し離れてしまう。このため、スネアワイヤがドラムヘッドに勢いよく接触し易く、ドラムヘッドに接触するときの接触音も大きくなり易い。これに対し、本発明によれば、円弧に沿って延びるカム面１２ｅの終端付近をカムフォロア３０が滑ることにより、カムフォロア３０は移動しなくなり、カムフォロア３０が固定されたスライダ１６も移動しなくなる。つまり、スネアワイヤ４の張力によって操作レバー１３が戻ることもない。よって、必要以上に、スネアワイヤ４をドラムヘッド３に接近させることもない。従って、スネアワイヤ４がドラムヘッド３に勢いよく接触し難くなり、ドラムヘッド３に接触するときの接触音をより小さくすることができる。
（４）カム１２は、引き上げられた操作レバー１３の位置を保持するためのロック機構を備えている。この構成によれば、ロック機構により操作レバー１３の位置が保持されることによって、スネアワイヤ４をオン位置に確実に保持することができる。このため、演奏中に、誤操作や振動等により、操作レバー１３が誤ってオン位置からオフ位置に切り替えられることを防止できる。
（５）ロック機構は、突出部１２ｄ内に収納されたロックピン３１と、スペーサ２０の凹部２０ａと、ロックピン３１を凹部２０ａに向けて付勢する圧縮コイルばねとから構成されている。この構成によれば、ロックピン３１が凹部２０ａに係合することにより、操作レバー１３の位置が保持される。このとき、ロックピン３１は、カム１２との間に配置された圧縮コイルばね３２によって付勢されている。これにより、ロックピン３１が凹部２０ａに嵌め込まれたときに生じる節度感触、即ち、クリック感を高めることができる。よって、演奏者は、操作レバー１３を通じてクリック感を感じることにより、スネアワイヤ４がオン位置に配置されたことを認識することができる。
（６）圧縮されたスプリング４３は、スネアワイヤ４をドラムヘッド３から離間する方向に付勢している。この構成によれば、スネアワイヤ４が張設される下方のドラムヘッド３を上向きしても、スネアワイヤ４をオフ位置に保持できるため、ストレイナー装置１０へのスネアワイヤ４の取り付け作業を容易に行える。また、この場合、スプリング４３の付勢力によってスネアワイヤ４がオフ位置に切り替えられるため、その分、カム１２の形状を単純化することができ、ひいては、ストレイナー装置１０の小型化を実現することもできる。
（７）ストレイナー装置１０は、オン位置に配置されたスネアワイヤ４の上下方向の位置を微調整するため位置調整機構を備えている。この構成によれば、スネアワイヤ４の位置をオン位置に切り替えた後、操作ノブ１５の操作に基づき、オン位置に配置されたスネアワイヤ４の上下方向の位置を微調整することができる。つまり、ドラムヘッド３に対するスネアワイヤ４の接触圧を調整することができ、スネアワイヤ４による響き音を調整することができる。
（８）ストレイナー装置１０は、クランプホルダ５１に螺合された状態から緩まないようにスライダボルト４２を保持するための保持機構を備えている。この構成によれば、スネアワイヤ４の上下方向の位置が保持されるため、演奏中に、ドラムヘッド３に対するスネアワイヤ４の接触圧が低下することを防止できる。よって、スネアワイヤ４による響き音を良好に保つことができる。
（９）保持機構は、操作ノブ１５の内側に形成されたの第１段差部１５ａと、キャップ５０の上面に形成された第２段差部５０ａとから構成されている。この構成によれば、第１段差部１５ａと第２段差部５０ａとが互いに係合することにより、操作ノブ１５の操作に基づくスライダボルト４２の軸線回りの回動が規制される。これにより、クランプホルダ５１に対するスライダボルト４２の螺合量が保持されるため、スネアワイヤ４の上下方向の位置を保持することができる。また、弾性部材からなるキャップ５０を用いることで、第１段差部１５ａが第２段差部５０ａに係合したときに生じる節度感触、即ち、クリック感を高めることができる。よって、演奏者は、操作ノブ１５を通じてクリック感を感じることにより、スネアワイヤ４の上下方向の位置が調整されたことを認識することができる。
（１０）クランプホルダ５１の下面には、クランプカバー５２に向けて突出すると共にねじ孔を有する一対のガイド５１ａが設けられている。この構成によれば、クランプホルダ５１にクランプカバー５２を組み付ける際、クランプカバー５２のガイド孔５２ａに挿入されたボルト５３がクランプホルダ５１のガイド５１ａによって隠蔽されるため、ボルト５３にスネアワイヤ４の紐やテープが巻き込まれることを防止できる。
【００５１】
なお、本実施形態は以下のように変更してもよい。
・本実施形態において、第１及び第２の滑り領域を含むカム面１２ｅから、第２の滑り領域のみを省略してもよい。即ち、カム面１２ｅの始端から終端に至る全ての領域を、カム１２の回動中心を中心とする螺旋に沿って延びるように形成してもよい。
【００５２】
・本実施形態において、操作レバー１３の位置を保持するためのロック機構を省略してもよい。
・本実施形態において、ロック機構を構成するロックピン３１と凹部２０ａとの位置関係を逆にしてもよい。即ち、スペーサ２０にロックピンを設け、カム１２に凹部を設けてもよい。
【００５３】
・本実施形態において、ロック機構から圧縮コイルばねを省略してもよい。
・本実施形態において、スネアワイヤ４の上下方向の位置を微調整するため位置調整機構を省略してもよい。
【００５４】
・本実施形態において、クランプホルダ５１に螺合された状態から緩まないようにスライダボルト４２を保持するための保持機構を省略してもよい。
・本実施形態において、弾性部材からなるキャップ５０に代えて、弾性部材からなる操作ノブ１５を用いてもよい。また、キャップ５０及び操作ノブ１５の両方を弾性部材から形成してもよい。
【００５５】
・本実施形態において、付勢手段としての圧縮コイルばね３２やスプリング４３を、板ばね等の弾性部材に変更してもよい。
【符号の説明】
【００５６】
１…スネアドラム、２…シェル、３…ドラムヘッド、４…スネアワイヤ、１０…ストレイナー装置、１１…ベースプレート、１２…カム、１２ｅ…カム面、１３…操作レバー、１４…ストレイナー本体、１５…操作ノブ、１６…スライダ、１７…ホルダ、２０ａ…凹部、３０…カムフォロア、３１…ロックピン、３２…圧縮コイルばね（付勢手段）、４０…スライダ本体、４２…スライダボルト、４３…スプリング（付勢手段）、５１…クランプホルダ、５１ａ…ガイド、５２…クランプカバー、５２ａ…ガイド孔、５３…ボルト。
【図２】
2010230849.tif 000003
【図４】
2010230849.tif 000004
【図５】
2010230849.tif 000005
【図６】
2010230849.tif 000006
【図７】
2010230849.tif 000007
【図８】
2010230849.tif 000008
【図９】
2010230849.tif 000009
【図１０】
2010230849.tif 000010
【図１１】
2010230849.tif 000011
【図１】
2010230849.tif 000012
【図３】
2010230849.tif 000013